(57)【特許請求の範囲】
【請求項１】
過度の不平衡張力が生じる箇所に使用するための通信ケーブル用槍出金物（１）であって、
通信ケーブルを吊架するための腕金（１１）を備えた吊架用腕金部材（１０）と、
前記腕金を下から支持するための支持金物（２１；４１）を備えた腕金支持部材（２０）と、
前記腕金および前記支持金物に取り付けられた固定棒（３０；５０）と、
該固定棒を用いて前記通信ケーブル用槍出金物のクラック発生の可能性の有無を地上から目視で確認させるための確認手段と、
を具備することを特徴とする、通信ケーブル用槍出金物。
【請求項２】
前記確認手段が、前記固定棒（３０）が折損すると該固定棒から吐出するように該固定棒に充填されたインク（３３）であり、
前記支持金物（２１）に、前記固定棒から吐出した前記インクを漏れ出させて、前記通信ケーブル用槍出金物が取り付けられた電柱（Ｐ）に付着させるための傾斜面（２１ａ）および空洞（２１ｂ）が形成されている、
ことを特徴とする、請求項１記載の通信ケーブル用槍出金物。
【請求項３】
前記吊架用腕金部材（１０）が、
直方体状の前記腕金（１１）と、
該腕金の末端部が取り付けられた、かつ、該腕金を前記電柱にボルト（Ｂ）およびナット（Ｎ）を用いて取り付けるための腕金取付バンド（１２）とを備え、
前記腕金の先端部に、前記通信ケーブルを吊架するための引留金具を取り付けるための引留金具取付孔（１１ａ）が形成されており、
前記腕金の末端部に、径が前記固定棒の径と略同じであるとともに該固定棒を取り付けるための固定棒取付孔（１１ｂ）が上面から底面まで垂直に形成されており、
前記腕金支持部材（２０）が、
直方体状の前記支持金物（２１）と、
該支持金物の末端部が取り付けられたかつ該支持金物を前記電柱に他のボルト（Ｂ）および他のナット（Ｎ）を用いて取り付けるための支持金物取付バンド（２２）とを備え、
前記支持金物の底面の末端部が、末端面に向かって下がっていく前記傾斜面（２１ａ）とされており、
前記支持金物の末端部の下方に、該支持金物の末端面側が開口された前記空洞（２１ｂ）が前記傾斜面に沿って形成されており、
前記支持金物の末端部に、径が前記固定棒取付孔の径と略同じ固定棒取付穴（２１ｃ）が上面から前記空洞まで垂直に形成されており、
前記吊架用腕金部材および前記腕金支持部材を前記電柱に取り付けた際に前記固定棒取付穴が前記固定棒取付孔の真下に位置して、前記固定棒を該固定棒取付孔および該固定棒取付穴の順に挿入して装着することができるようにされている、
ことを特徴とする、請求項２記載の通信ケーブル用槍出金物。
【請求項４】
前記吊架用腕金部材（１０）が、前記ボルト（Ｂ）を締め付けて前記腕金取付バンド（１２）を前記電柱に固定する際に過度の不平衡張力が前記腕金の先端部に加わった場合に該電柱の周方向に沿って該腕金が回転するように該腕金取付バンドを該電柱に固定させるための調整金具（１３）をさらに備え、
該調整金具に、前記ボルトを貫通させるための貫通孔が形成されている、
ことを特徴とする、請求項３記載の通信ケーブル用槍出金物。
【請求項５】
前記固定棒（３０）が、
内部が中空部とされた円柱状の金属製の本体（３１）と、
該本体の下方部に形成されたインク吐出口を塞ぐための栓（３２）と、
前記本体の中空部に充填された前記インク（３３）とを備え、
前記本体が、過度の不平衡張力が加わることにより前記腕金（１１）が前記支持金物（２１）に対してずれると折損する強度を有するように構成されており、
前記インクが、前記固定棒を前記支持金物の前記固定棒取付穴に挿入すると液面が該支持金物の上面よりも下となる量だけ充填されており、
前記本体の中空部の前記インクが充填された部分以外の部分には圧縮空気（３４）が充填されている、
ことを特徴とする、請求項３または４記載の通信ケーブル用槍出金物。
【請求項６】
前記確認手段が、過度の不平衡張力が加わると前記支持金物（４１）から飛び出して垂れ下がった状態となるリボンであり、
前記支持金物に、前記リボンを飛び出させて垂れ下がった状態とさせるための傾斜面（４１ａ）および空洞（４１ｂ）が形成されている、
ことを特徴とする、請求項１記載の通信ケーブル用槍出金物。
【請求項７】
前記吊架用腕金部材（１０）が、
直方体状の前記腕金（１１）と、
該腕金の末端部が取り付けられた、かつ、該腕金を電柱（Ｐ）にボルト（Ｂ）およびナット（Ｎ）を用いて取り付けるための腕金取付バンド（１２）とを備え、
前記腕金の先端部に、前記通信ケーブルを吊架するための引留金具を取り付けるための引留金具取付孔（１１ａ）が形成されており、
前記腕金に、径が前記固定棒の径と略同じであるとともに該固定棒を挿入させて取り付けるための固定棒取付孔（１１ｂ）が上面から底面まで垂直に形成されており、
前記腕金支持部材（２０）が、
直方体状の前記支持金物（４１）と、
該支持金物の末端部が取り付けられたかつ該支持金物を前記電柱に他のボルト（Ｂ）および他のナット（Ｎ）を用いて取り付けるための支持金物取付バンド（２２）とを備え、
前記支持金物の底面の末端部が、末端面に向かって下がっていく前記傾斜面（４１ａ）とされており、
前記支持金物の末端部の下方に、該支持金物の末端面側が開口された前記空洞（４１ｂ）が前記傾斜面に沿って形成されており、
径が前記固定棒（５０）の径よりも大きくされた固定棒取付穴（４１ｃ）が、前記支持金物の上面から底面の平坦部まで垂直に形成されており、
前記固定棒取付孔が、前記吊架用腕金部材および前記腕金支持部材を前記電柱に取り付けた際に前記支持金物の前記固定棒取付穴の真上に位置するように前記腕金に形成されている、
ことを特徴とする、請求項６記載の通信ケーブル用槍出金物。
【請求項８】
前記支持金物（４１）に、第１および第２の支持紐（５１1，５１2）と、第１および第２の接続紐（５２1，５２2）と、第１および第２のリボン巻回体（５３1，５３2）と、第１および第２の吊り紐（５４1，５４2）とが内蔵されており、
前記第１および第２の支持紐が、一端が前記支持金物の両側面にそれぞれ固定され、他端が前記固定棒の周面に固定されているとともに、過度の不平衡張力が前記腕金の先端部に加わると切れる程度の強度とされており、
前記第１および第２の接続紐の一端に、前記第１および第２の支持紐をそれぞれ通すための通し孔をそれぞれ備えた第１および第２のリング（Ｒ1，Ｒ2）が取り付けられているとともに、該第１および第２の支持紐を該第１および第２のリングの前記通し孔に通すことにより該第１および第２の接続紐の一端が該第１および第２の支持紐にそれぞれ取り付けられており、
前記第１および第２のリボン巻回体が、第１および第２のドラムに第１および第２のリボンの他端をそれぞれ固定して該第１および第２のリボンをそれぞれ多重に巻き付けて構成されており、該第１および第２のドラムの側面に前記第１および第２の吊り紐の一端がそれぞれ固定されることにより、他端が前記支持金物の前記空洞（４１ｂ）の上面を形成する部分に固定された該第１および第２の吊り紐によって該支持金物の前記傾斜面（４１ａ）の先端側に位置するように支持されており、
前記第１および第２の接続紐の他端が、前記第１および第２のリボンの一端にそれぞれ固定されている、
ことを特徴とする、請求項７記載の通信ケーブル用槍出金物。
【発明の詳細な説明】
【技術分野】
【０００１】
本発明は、過度の不平衡張力が生じる箇所に使用するのに好適な通信ケーブル用槍出金物に関する。
【背景技術】
【０００２】
電力会社では、電柱間に通信ケーブルを吊架する際に通信ケーブル用槍出金物を使用しているが、電柱径間長の相違や角度柱における風圧荷重の変化により過度の不平衡張力が長期にわたって加わる箇所では通信ケーブル用槍出金物が折損または脱落するおそれがあるため、適時巡視を行って通信ケーブル用槍出金物のクラック発生の有無を確認するなどの対策をしている。
【０００３】
なお、通信ケーブル用槍出金物の折損・脱落防止手法として、本出願人は、下記の特許文献１において、筒状の腕金の先端部に取り付けられたかつ光ケーブルから分離されたメッセンジャーワイヤの一端を固定するための第１の引留金具と、腕金に取り付けられたかつメッセンジャーワイヤの他端を固定するための第２の引留金具とを具備し、腕金に、第２の引留金具の腕金への取付位置を一定の間隔で調整するための第１および第２の溝を互いに対向して形成することにより、左右の荷重が不均衡な角度柱においても腕金の振れを容易に防止できるようにした通信ケーブル吊架用腕金を提案している。
【０００４】
また、下記の特許文献２には、左右の架空ケーブルの端末が接続される把持金物をバネによって左右のケーブル方向に移動自在に構成することにより、不平衡荷重発生時に把持金物を移動させて左右のケーブル張力のバランスを取って電柱の保護を図るようにしたケーブル把持金物装置が開示されている。
【先行技術文献】
【特許文献】
【０００５】
【特許文献１】特開２００７−２８８９１５号公報
【特許文献２】特開２００６−１９７６６６号公報
【発明の概要】
【発明が解決しようとする課題】
【０００６】
しかしながら、上述した適時巡視を行って通信ケーブル用槍出金物のクラック発生の有無を確認する手法では、クラック発生後早急な改修が必要であることから、巡視周期を短くして通信ケーブル用槍出金物のクラック発生を早期に発見する必要があるという問題のほかに、通信ケーブル用槍出金物のクラック発生の有無は電柱上で確認する必要があるため、電柱への昇柱可能な人員および装備が必要になるという問題があった。
【０００７】
なお、上記の特許文献１で提案した通信ケーブル吊架用腕金では、径間長の相違による不平衡を緩和することはできるが、風圧荷重に対する過度の不平衡張力を緩和することができないという問題があるほかに、通信ケーブル用槍出金物が長くなった場合には通信ケーブル用槍出金物の屈折による倒壊が懸念されるという問題がある。
また、上記の特許文献２に開示されたケーブル把持金物装置では、引き通し区間の不平衡荷重を低減することはできるが、過度の不平衡張力が発生し易い角度柱では使用することができないという問題がある。
【０００８】
本発明の目的は、槍出金物のクラック発生の可能性の有無を地上から目視で確認することができる通信ケーブル用槍出金物を提供することにある。
【課題を解決するための手段】
【０００９】
本発明の通信ケーブル用槍出金物は、過度の不平衡張力が生じる箇所に使用するための通信ケーブル用槍出金物（１）であって、通信ケーブルを吊架するための腕金（１１）を備えた吊架用腕金部材（１０）と、前記腕金を下から支持するための支持金物（２１；４１）を備えた腕金支持部材（２０）と、前記腕金および前記支持金物に取り付けられた固定棒（３０；５０）と、該固定棒を用いて前記通信ケーブル用槍出金物のクラック発生の可能性の有無を地上から目視で確認させるための確認手段とを具備することを特徴とする。
ここで、前記確認手段が、前記固定棒（３０）が折損すると該固定棒から吐出するように該固定棒に充填されたインク（３３）であり、前記支持金物（２１）に、前記固定棒から吐出した前記インクを漏れ出させて、前記通信ケーブル用槍出金物が取り付けられた電柱（Ｐ）に付着させるための傾斜面（２１ａ）および空洞（２１ｂ）が形成されていてもよい。
前記吊架用腕金部材（１０）が、直方体状の前記腕金（１１）と、該腕金の末端部が取り付けられた、かつ、該腕金を前記電柱にボルト（Ｂ）およびナット（Ｎ）を用いて取り付けるための腕金取付バンド（１２）とを備え、前記腕金の先端部に、前記通信ケーブルを吊架するための引留金具を取り付けるための引留金具取付孔（１１ａ）が形成されており、前記腕金の末端部に、径が前記固定棒の径と略同じであるとともに該固定棒を取り付けるための固定棒取付孔（１１ｂ）が上面から底面まで垂直に形成されており、前記腕金支持部材（２０）が、直方体状の前記支持金物（２１）と、該支持金物の末端部が取り付けられたかつ該支持金物を前記電柱に他のボルト（Ｂ）および他のナット（Ｎ）を用いて取り付けるための支持金物取付バンド（２２）とを備え、前記支持金物の底面の末端部が、末端面に向かって下がっていく前記傾斜面（２１ａ）とされており、前記支持金物の末端部の下方に、該支持金物の末端面側が開口された前記空洞（２１ｂ）が前記傾斜面に沿って形成されており、前記支持金物の末端部に、径が前記固定棒取付孔の径と略同じ固定棒取付穴（２１ｃ）が上面から前記空洞まで垂直に形成されており、前記吊架用腕金部材および前記腕金支持部材を前記電柱に取り付けた際に前記固定棒取付穴が前記固定棒取付孔の真下に位置して、前記固定棒を該固定棒取付孔および該固定棒取付穴の順に挿入して装着することができるようにされていてもよい。
前記吊架用腕金部材（１０）が、前記ボルト（Ｂ）を締め付けて前記腕金取付バンド（１２）を前記電柱に固定する際に過度の不平衡張力が前記腕金の先端部に加わった場合に該電柱の周方向に沿って該腕金が回転するように該腕金取付バンドを該電柱に固定させるための調整金具（１３）をさらに備え、該調整金具に、前記ボルトを貫通させるための貫通孔が形成されていてもよい。
前記固定棒（３０）が、内部が中空部とされた円柱状の金属製の本体（３１）と、該本体の下方部に形成されたインク吐出口を塞ぐための栓（３２）と、前記本体の中空部に充填された前記インク（３３）とを備え、前記本体が、過度の不平衡張力が加わることにより前記腕金（１１）が前記支持金物（２１）に対してずれると折損する強度を有するように構成されており、前記インクが、前記固定棒を前記支持金物の前記固定棒取付穴に挿入すると液面が該支持金物の上面よりも下となる量だけ充填されており、前記本体の中空部の前記インクが充填された部分以外の部分には圧縮空気（３４）が充填されていてもよい。
前記確認手段が、過度の不平衡張力が加わると前記支持金物（４１）から飛び出して垂れ下がった状態となるリボンであり、前記支持金物に、前記リボンを飛び出させて垂れ下がった状態とさせるための傾斜面（４１ａ）および空洞（４１ｂ）が形成されていてもよい。
前記吊架用腕金部材（１０）が、直方体状の前記腕金（１１）と、該腕金の末端部が取り付けられた、かつ、該腕金を電柱（Ｐ）にボルト（Ｂ）およびナット（Ｎ）を用いて取り付けるための腕金取付バンド（１２）とを備え、前記腕金の先端部に、前記通信ケーブルを吊架するための引留金具を取り付けるための引留金具取付孔（１１ａ）が形成されており、前記腕金に、径が前記固定棒の径と略同じであるとともに該固定棒を挿入させて取り付けるための固定棒取付孔（１１ｂ）が上面から底面まで垂直に形成されており、前記腕金支持部材（２０）が、直方体状の前記支持金物（４１）と、該支持金物の末端部が取り付けられたかつ該支持金物を前記電柱に他のボルト（Ｂ）および他のナット（Ｎ）を用いて取り付けるための支持金物取付バンド（２２）とを備え、前記支持金物の底面の末端部が、末端面に向かって下がっていく前記傾斜面（４１ａ）とされており、前記支持金物の末端部の下方に、該支持金物の末端面側が開口された前記空洞（４１ｂ）が前記傾斜面に沿って形成されており、径が前記固定棒（５０）の径よりも大きくされた固定棒取付穴（４１ｃ）が、前記支持金物の上面から底面の平坦部まで垂直に形成されており、前記固定棒取付孔が、前記吊架用腕金部材および前記腕金支持部材を前記電柱に取り付けた際に前記支持金物の前記固定棒取付穴の真上に位置するように前記腕金に形成されていてもよい。
前記支持金物（４１）に、第１および第２の支持紐（５１1，５１2）と、第１および第２の接続紐（５２1，５２2）と、第１および第２のリボン巻回体（５３1，５３2）と、第１および第２の吊り紐（５４1，５４2）とが内蔵されており、前記第１および第２の支持紐が、一端が前記支持金物の両側面にそれぞれ固定され、他端が前記固定棒の周面に固定されているとともに、過度の不平衡張力が前記腕金の先端部に加わると切れる程度の強度とされており、前記第１および第２の接続紐の一端に、前記第１および第２の支持紐をそれぞれ通すための通し孔をそれぞれ備えた第１および第２のリング（Ｒ1，Ｒ2）が取り付けられているとともに、該第１および第２の支持紐を該第１および第２のリングの前記通し孔に通すことにより該第１および第２の接続紐の一端が該第１および第２の支持紐にそれぞれ取り付けられており、前記第１および第２のリボン巻回体が、第１および第２のドラムに第１および第２のリボンの他端をそれぞれ固定して該第１および第２のリボンをそれぞれ多重に巻き付けて構成されており、該第１および第２のドラムの側面に前記第１および第２の吊り紐の一端がそれぞれ固定されることにより、他端が前記支持金物の前記空洞（４１ｂ）の上面を形成する部分に固定された該第１および第２の吊り紐によって該支持金物の前記傾斜面（４１ａ）の先端側に位置するように支持されており、前記第１および第２の接続紐の他端が、前記第１および第２のリボンの一端にそれぞれ固定されていてもよい。
【発明の効果】
【００１０】
本発明の通信ケーブル用槍出金物は、以下に示す効果を奏する。
（１）過度の不平衡張力が加わると腕金よりも先に固定棒を折損させることにより、通常巡視時に地上（電柱下）からの目視によって固定棒折損確認手段の状態（たとえば、電柱へのインクの付着またはリボンの垂れ下り）を調べるだけで、通信ケーブル用槍出金物のクラックの発生の可能性の有無を確認することができる。
（２）過度の不平衡張力が発生する箇所でも別ルートへ迂回する必要がなくなるため、最短ルートでの通信ケーブルの敷設が可能になる。
【図面の簡単な説明】
【００１１】
【図１】本発明の第１の実施例による通信ケーブル用槍出金物１が具備する吊架用腕金部材１０の構成について説明するための図である。
【図２】本発明の第１の実施例による通信ケーブル用槍出金物１が具備する腕金支持部材２０の構成について説明するための図である。
【図３】本発明の第１の実施例による通信ケーブル用槍出金物１が具備する固定棒３０の構成について説明するための図である。
【図４】図３に示した支持金物２１の構成および機能について説明するための図である。
【図５】本発明の第１の実施例による通信ケーブル用槍出金物１の使用方法について説明するための図である。
【図６】本発明の第２の実施例による通信ケーブル用槍出金物における支持金物４１の構成について説明するための図である。
【発明を実施するための形態】
【００１２】
上記の目的を、過度の不平衡張力が加わると腕金よりも先に固定棒を折損させ、固定棒に充填したインクを漏れ出させて電柱に付着させて、通信ケーブル用槍出金物のクラック発生の可能性の有無を地上から目視で確認できるようにすることにより実現した。
【実施例１】
【００１３】
以下、本発明の通信ケーブル用槍出金物の実施例について図面を参照して説明する。
まず、本発明の第１の実施例による通信ケーブル用槍出金物１（以下、「槍出金物１」と称する。）について、図１から図５を参照して説明する。
本実施例による槍出金物１は、図１（ａ），（ｂ）に示す吊架用腕金部材１０と図２（ａ），（ｂ）に示す腕金支持部材２０と図３に示す固定棒３０とを具備し、過度の不平衡張力が加わると吊架用腕金部材１０の腕金１１よりも先に固定棒３０を折損させて中の赤インク３３（油性インク）を漏れ出させて電柱Ｐ（図５参照）を赤く染めさせることにより、槍出金物１のクラック発生の可能性の有無を地上から目視で確認することができるようにしたものである。
【００１４】
ここで、吊架用腕金部材１０は、図１（ａ），（ｂ）に示すように、直方体状の腕金１１と、腕金１１の末端部が取り付けられたかつ腕金１１を電柱ＰにボルトＢおよびナットＮを用いて取り付けるための腕金取付バンド１２と、ボルトＢを締め付けて腕金取付バンド１２を電柱Ｐに固定する際に過度の不平衡張力（所定の強度以上の不平衡張力）が腕金１１の先端部に加わった場合に電柱Ｐの周方向に沿って腕金１１が回転するように腕金取付バンド１２を電柱Ｐに固定させるための調整金具１３とを備える。
なお、調整金具１３にはボルトＢを貫通させるための貫通孔が形成されている。
【００１５】
腕金１１の先端部には、通信ケーブル（光ケーブルなど）を吊架するための引留金具を取り付けるための引留金具取付孔１１ａ（貫通孔）が上面から底面まで垂直に形成されている。
また、腕金１１の末端部には、固定棒３０を取り付けるための固定棒取付孔１１ｂ（固定棒３０を取り付けたときに固定棒３０が動かないように径が固定棒３０の径と略同じにされた円形貫通孔）が上面から底面まで垂直に形成されている。
【００１６】
腕金支持部材２０は、図２（ａ），（ｂ）に示すように、支持金物２１と、支持金物２１の末端部が取り付けられたかつ支持金物２１を電柱Ｐ（図５参照）にボルトＢおよびナットＮを用いて取り付けるための支持金物取付バンド２２とを備える。
【００１７】
支持金物２１は直方体状をしているが、支持金物２１の底面の末端部は末端面に向かって下がっていく傾斜面２１ａとされている（図２（ｂ）参照）。
また、支持金物２１の末端部の下方には、支持金物２１の末端面側が開口された空洞２１ｂが傾斜面２１ａに沿って形成されている（図２（ｂ）および図４（ａ）参照）。
さらに、支持金物２１の末端部の幅方向（長手方向と同一平面上の垂直方向）の中央部には、固定棒取付穴２１ｃ（径が上述の固定棒取付孔１１ｂの径と略同じ円形穴）が上面から空洞２１ｂまで垂直に形成されている。なお、固定棒取付穴２１ｃは、図５に示すように吊架用腕金部材１０および腕金支持部材２０を電柱Ｐに取り付けた際に固定棒取付孔１１ｂの真下に位置して、固定棒３０を固定棒取付孔１１ｂおよび固定棒取付穴２１ｃの順に挿入して取り付けることができるようにされている。
【００１８】
固定棒３０は、図３に示すように、内部が中空部とされた円柱状の金属製の本体３１と、本体３１の下方部に形成されたインク吐出口を塞ぐための栓３２と、本体３１の中空部に充填された赤インク３３とを備える。
【００１９】
本体３１は、過度の不平衡張力が加わって図４（ｂ）に左向きの白抜き矢印で示すように腕金１１が回転して支持金物２１に対してずれると折損する強度とされている。
赤インク３３は、図４（ａ）に示すように固定棒３０を支持金物２１の固定棒取付穴２１に挿入すると液面が支持金物２１の上面よりも下となる量だけ充填されている。
本体３１の中空部の赤インク３３が充填された部分以外の部分には圧縮空気３４が充填されており、過度の不平衡張力が加わって腕金１１が回転して支持金物２１に対してずれると図４（ｂ）に下向きの白抜き矢印で示すように圧縮空気３４によって赤インク３３の液面が下方に押され、栓３２が赤インク３３に押されて抜けて赤インク３３が本体１１のインク吐出口から吐出して支持金物２１の空洞２１ｂに流れ出し傾斜面２１ａに沿って流れていき空洞２１ｂの開口から外へ漏れ出るようにされている。
【００２０】
次に、本実施例による槍出金物１の使用方法について、図５を参照して説明する。
作業員は、半円板状の第１および第２の取付板２1，２2を互いに対向するように電柱Ｐの周面に当てたのち、自在バンド３を用いて第１および第２の取付板２1，２2の上方部分を電柱Ｐに固定する。
【００２１】
その後、作業員は、腕金支持部材２０を第１および第２の取付板２1，２2の下方部分に取り付ける。なお、腕金支持部材２０は、支持金物２１の空洞２１ｂの開口から漏れ出た赤インク３３が電柱Ｐに付着するように、支持金物２１の空洞２１ｂの開口面と電柱Ｐとの間に若干の隙間が形成されるように取り付けられる。
【００２２】
その後、作業員は、腕金１１の固定棒取付孔１１ｂと支持金物２１の固定棒取付穴２１ｃとが重なり合うように、吊架用腕金部材１０を腕金支持部材２０の上に取り付ける。このとき、作業員は、図１（ａ）に示すように調整金具１３を腕金取付バンド１２の両端部の間に挿入させてボルトＢを締め付けることにより、過度の不平衡張力が腕金１１の先端部に加わった場合に電柱Ｐの周方向に沿って腕金１１が回転するようにする。
【００２３】
その後、作業員は、腕金１１の引留金具取付孔１１ａに引留金具を取り付けたのち、通信ケーブルを引留金具に取り付ける。
【００２４】
これにより、過度の不平衡張力が腕金１１の先端部に加わって腕金１１が回転して支持金物２１に対してずれると、固定棒３０が折損して、赤インク３３が固定棒３０の本体１１のインク吐出口から吐出して支持金物２１の空洞２１ｂに流れ出て空洞２１ｂの開口から外へ漏れ出る。その結果、電柱Ｐが漏れ出た赤インク３３で赤く染められるため、固定棒３０の折損（槍出金物１のクラック発生の可能性）を地上から目視で確認させることができる。
【実施例２】
【００２５】
次に、本発明の第２の実施例による通信ケーブル用槍出金物について、図６を参照して説明する。
本実施例による通信ケーブル用槍出金物（以下、「槍出金物」と称する。）は、過度の不平衡張力が加わるとリボンを腕金支持部材の支持金物４１から飛び出させて垂れ下らせることにより、槍出金物のクラック発生の可能性の有無を地上から目視で確認することができるようにしたものである。
【００２６】
そのため、本実施例による槍出金物の腕金支持部材が備える支持金物４１は、以下に示す点で、上述した第１の実施例による槍出金物１の腕金支持部材２０が備える支持金物２１と異なる。
（１）円柱状の金属棒である固定棒５０（図３に示した固定棒３０のように赤インク３３は充填されていない。）が取り付けられるとともに、固定棒取付穴４１ｃの径が固定棒５０（固定棒取付孔１１ｂ）の径よりも大きくされている。
（２）固定棒取付穴４１ｃが上面から底面の平坦部（傾斜面４１ａよりも先端側）まで垂直に形成されている。これに伴い、本実施例による槍出金物が備える腕金では、固定棒取付孔（固定棒５０を取り付けたときに固定棒５０が動かないように径が固定棒５０の径と略同じにされた円形貫通孔）は、吊架用腕金部材および腕金支持部材を電柱Ｐに取り付けた際に固定棒取付穴４１ｃの真上に位置するように、上面から底面まで垂直に形成されている。
（３）第１および第２の支持紐５１1，５１2と、第１および第２の接続紐５２1，５２2と、第１および第２のリボン巻回体５３1，５３2と、第１および第２の吊り紐５４1，５４2とが内蔵されている。
【００２７】
ここで、第１の支持紐５１1は、支持金物４１の左側面（支持金物４１を先端部側から見たときの左側の側面）に対して垂直になるように、一端が支持金物４１の左側面に固定されているとともに他端が固定棒５０の周面に固定されている。また、第１の支持紐５１1は、腕金が回転して支持金物４１に対してずれて固定棒５０の右側周面が固定棒取付穴４１ｃの右側周面に当接する以上の不平衡張力（過度の不平衡張力）が腕金の先端部に加わると切れる程度の強度とされている。
同様に、第２の支持紐５１2は、支持金物４１の右側面（支持金物４１を先端部側から見たときの右側の側面）に対して垂直になるとともに第１の支持紐５１1と同一直線上に位置するように、一端が支持金物４１の右側面に固定されているとともに他端が固定棒５０の周面に固定されている。また、第２の支持紐５１2は、腕金が回転して支持金物４１に対してずれて固定棒５０の左側周面が固定棒取付穴４１ｃの左側周面に当接する以上の不平衡張力（過度の不平衡張力）が腕金の先端部に加わると切れる程度の強度とされている。
【００２８】
第１の接続紐５２1の一端には第１のリングＲ1（第１の支持紐５１1を通すための通し孔を備える。）が取り付けられており、第１の支持紐５１1を第１のリングＲ1の通し孔に通すことにより第１の接続紐５２1の一端は第１の支持紐５１1に取り付けられている。また、第１の接続紐５２1の他端は、第１のリボン巻回体５３1に多重に巻かれた帯状のリボン（長さが５０ｃｍ程度）の一端に接続されている。
同様に、第２の接続紐５２2の一端には第２のリングＲ2（第２の支持紐５１2を通すための通し孔を備える。）が取り付けられており、第２の支持紐５１2を第２のリングＲ2の通し孔に通すことにより第２の接続紐５２2の一端は第２の支持紐５１2に取り付けられている。また、第２の接続紐５２2の他端は、第２のリボン巻回体５３2に多重に巻かれた帯状のリボン（長さが５０ｃｍ程度）の一端に接続されている。
【００２９】
第１のリボン巻回体５３1は、円柱状のドラムにリボンの他端を固定してリボンを多重に巻き付けて構成されており、ドラムの右側面（支持金物４１を先端部側から見たときの右側の側面）の中心部に第１の吊り紐５４1の一端が固定されることにより、他端が支持金物４１の空洞４１ｂの上面を形成する部分に固定された第１の吊り紐５４1によって支持金物４１の傾斜面４１ａの先端側に位置するように支持されている。
同様に、第２のリボン巻回体５３2は、円柱状のドラムにリボンの他端を固定してリボンを多重に巻き付けて構成されており、ドラムの右側面の中心部に第２の吊り紐５４2の一端が固定されることにより、他端が支持金物４１の空洞４１ｂの上面を形成する部分に固定された第２の吊り紐５４2によって支持金物４１の傾斜面４１ａの先端側に位置するように支持されている。
【００３０】
これにより、過度の不平衡張力が腕金の先端部に加わった場合には、腕金が回転して支持金物４１に対してずれて、第１または第２の支持紐５１1，５１2が切れる。その結果、第１または第２のリングＲ1，Ｒ2が第１または第２の支持紐５１1，５１2から外れて、リボンが第１または第２のリボン巻回体５３1，５３2から解けていき、第１または第２のリングＲ1，Ｒ2が支持金物４１の傾斜面４１ａを転がり落ちて空洞４１ｂから飛び出す。このとき、第１および第２のリボン巻回体５３1，５３2のドラムは第１および第２の吊り紐５４1，５４2によってしっかりと支持されているため、リボンの一端部側が支持金物４１から飛び出て垂れ下がった状態となるので、槍出金物のクラック発生の可能性の有無を地上から目視で確認させることができる。
【符号の説明】
【００３１】
１  槍出金物
２1，２2  第１および第２の取付板
３  自在バンド
１０  吊架用腕金部材
１１  腕金
１１ａ  引留金具取付孔
１１ｂ  固定棒取付孔
１２  腕金取付バンド
１３  調整金具
２０  腕金支持部材
２１，４１  支持金物
２１ａ，４１ａ  傾斜面
２１ｂ，４１ｂ  空洞
２１ｃ，４１ｃ  固定棒取付穴
２２  支持金物取付バンド
３０，５０  固定棒
３１  本体
３２  栓
３３  赤インク
３４  圧縮空気
５１1，５１2  第１および第２の支持紐
５２1，５２2  第１および第２の接続紐
５３1，５３2  第１および第２のリボン巻回体
５４1，５４2  第１および第２の吊り紐
Ｐ  電柱
Ｂ  ボルト
Ｎ  ナット
Ｒ1，Ｒ2  第１および第２のリング
【図１】
0005450714.tif 000002
【図２】
0005450714.tif 000003
【図３】
0005450714.tif 000004
【図４】
0005450714.tif 000005
【図５】
0005450714.tif 000006
【図６】
0005450714.tif 000007